(57)【要約】【課題】    MRI装置の操作やプログラムに同期したBGMの再生と制御の自由度を増し、BGMのミュート状態からBGMのフェードインを可能とし、患者に対しも気遣いの出来るBGM再生する。【解決手段】  MRI信号処理系10のMRI制御部26によって制御が可能な音楽記憶媒体からデータを読取る記憶媒体読取装置29と音楽データを記憶するBGMメモリ27とBGM再生部28を有した構成とし、また、音声信号制御部13にBGMのミュート機能とフェードイン機能を有し、MRI制御部26の負担を軽減した構成とする。【選択図】        図2
2010125094.tif 000002
【特許請求の範囲】
【請求項１】
磁気共鳴イメージング装置シールドルーム内に、静磁場及び傾斜磁場の各磁場発生手段を備えたガントリーと、前記ガントリー内に配置した患者からの磁気共鳴信号を検出するＲＦ受信コイルと、を備えた磁気共鳴イメージング装置において、背景音楽をミュートから再開するとき自動で徐々に音量を上げる機能を備えることを特徴とした磁気共鳴イメージング装置。
【発明の詳細な説明】
【技術分野】
【０００１】
本発明は、磁気共鳴イメージング装置(以下、MRI装置という)に係り、特に操作者から患者への音声の伝達を快適とするMRI装置の改良に関する。
【背景技術】
【０００２】
MRI装置では、静磁場中に置かれた患者に対し高周波パルスを照射することで、患者中の原子核の核スピンが励起され核磁気共鳴信号が発生する。このとき、傾斜磁場を所定のシーケンスで印加することにより、核磁気共鳴信号は位置的な情報を与えられ、この核磁気共鳴信号を再構成することにより患者内の断層像を得ることができる。このようなMRI装置において、患者の配置された撮影空間にNMR信号以外のRF信号が存在すると画像に偽像が生じてしまう。
【０００３】
そこで、MRI装置の内、静磁場発生源、傾斜磁場コイル、送信用高周波コイル、受信用高周波コイル、シムコイル等の計測系は外部環境やMRI装置自身が発するRFノイズを遮断するためにシールドルーム内に設置される。患者にとっては、シールドルーム内は外界と遮断され、さらにガントリー内に配置されることで閉所となり不安やストレスを感じることがある。
【０００４】
また、検査に対する不安などを抱くことも考えられる。不安やストレスで落ち着かず動いてしまい良好なMRI画像が得られなくなる。このようなことから患者の緊張をほぐしリラックスさせ不安などのストレスを軽減させるための背景音楽(以下、「BGM」という)を流すことがある。
【０００５】
BGMを流す従来技術では、市販されているオーディオの出力からラインフィルターを介し、シールドルーム内の隅に配置したスピーカーへ、または音声を伝送管に乗せ、非磁性のヘッドホンに送るMRI装置専用のオーディオシステムなどがあり、いずれも操作者側の操作卓に音楽再生装置が配置され操作卓側を占有することとなる。また、MRI装置専用のオーディオシステムでは、患者に対し送話するとき(例えば、MRI装置における音声通信装置の公知例として特許文献1参照。)や、MR画像の撮像状況にあわせ自動でアナウンスする自動音声再生するとき、MRI装置からのトリガ信号を受取り、BGMをミュートにする機能を持つものもあるが、BGMを再開するとき、ミュートにする以前の音量で再開するため急にBGMが患者の耳に入ることがあり、患者が驚いたりストレスとなったりすることがある。
【０００６】
【特許文献１】特開2005−245580号公報
【発明の開示】
【発明が解決しようとする課題】
【０００７】
以上に述べたBGM再生構成手段においては、操作者の患者に対する送話やMR画像の撮像状況にあわせた自動アナウンスをするとき、BGMをミュートにする機能を持たせた場合、ミュートから急にBGMを再開すると、患者の耳に入るBGMの音量により、患者が驚いたりストレスとなったり不快な思いを与えることがある。  
本発明では、患者に対しも気遣いのできるBGM再生を提供することを目的とする。
【課題を解決するための手段】
【０００８】
このような目的を達成するために、本発明の音楽再生構成は以下のように構成される。即ち、磁気共鳴イメージング装置シールドルーム内に、静磁場及び傾斜磁場の各磁場発生手段を備えたガントリーと、前記ガントリー内に配置した患者からの磁気共鳴信号を検出するＲＦ受信コイルと、を備えた磁気共鳴イメージング装置において、背景音楽をミュートから再開するとき自動で徐々に音量を上げる機能を備える。
【発明の効果】
【０００９】
本発明によれば、ミュートからBGMを再開するとき、音を次第に大きくすること(以下、「フェードイン」という)も可能となり、患者に対しも気遣いの出来るBGM再生を提供することが出来るようになる。
【発明を実施するための最良の形態】
【００１０】
以下図面を参照して本発明の実施例を説明する。  
図1は、MRI装置の従来の構成例を示す図である。図1おいて、MRI装置は撮影空間に均一な静磁場を発生する磁石2と、静磁場空間に位置情報を印加する傾斜磁場コイル3と、高周波磁場を発生する照射コイル4と、患者8から発生する核磁気共鳴信号を受信する受信コイル5とMRI装置の信号処理系10が構成されている。磁石2、傾斜磁場コイル3、照射コイル4はデザイン性、安全性の点からガントリーカバー6に覆われている。
【００１１】
また、ガントリーカバー6で覆ったもの全体を総称してガントリーとも呼ぶ。撮影空間には患者テーブル7を利用して患者8を配置する。ガントリーは外部環境や装置自身が発するＲＦノイズを遮断するためにシールドルーム1内に設置される。シールドルームにより遮蔽された患者と操作者の対話を可能にするインターホン機能を有し、インターホン機能による操作者から患者への送話については送話機構を有効とするための送話スイッチ11とオペレーターマイク12と音声信号制御部13とガントリースピーカー14を配置し、MR画像の撮像状況にあわせ患者に自動アナウンスする自動音声再生部15を配置する、自動音声再生の発声音は送話のガントリースピーカー12からとなる。
【００１２】
自動音声は操作者から患者への送話を優先し送話スイッチ11によりミュートされる。操作者の患者からの受話についてはガントリーマイク16と音声信号制御部13とオペレータースピーカー17が配置されている。シールドルーム内では、外界から遮蔽されていることもありストレスが増すことも考えられ、不安やストレスを少しでも和らげることを目的とし、シールドルーム内にBGMを再生できるように音楽再生装置18とBGMスピーカー19を配置する。音楽再生装置には、市販されているオーディオやMRI装置専用の音楽再生装置が使用される。MRI装置専用の音楽再生装置には、シールドルーム内の患者まで伝送管に音声を乗せた非磁性のヘッドホンでBGMを再生できるものや、操作者から患者に対する送話および自動音声再生の時、明確に患者に伝達できるようMRI装置からBGMミュート信号20を受け取り、BGMをミュートする機能を備えるものもある。
【００１３】
音楽再生装置は、操作者が操作することから操作卓もしくはその近傍に配置される。操作卓上には、MRI装置本来の周辺機器(例えば、ディスプレイ、キーボード、マウス、ワークステーション)などが配置されている。更に音楽再生装置を配置することは操作者の作業の妨げとなりストレスの一因となる。
【実施例１】
【００１４】
ここで本発明の実施例1を図2のブロック図を用い説明する。  
インターホン機能については、上記の手段を踏襲する。  
自動音声再生機能については、MR装置の撮像状況に合わせ「動かないでください。」「息を吸ってください。」「楽にしてください。」「終了しました。」といったような言葉を操作者に代わり自動アナウンスで患者に伝達する機能である。自動アナウンスは、MR装置の撮像状況に合わせ言葉をMRI制御部26により自動音声があらかじめ記憶されている自動音声メモリ25から読出し自動音声再生部15で音声合成され、音声制御部13と音声電気信号を増幅する増幅器22とシールドルーム1の中と外とを仲介するラインフィルター9と、音声電気信号を音声変換するガントリースピーカー14により患者8に伝達される。操作者の患者に対する送話を優先し、送話スイッチ11で自動音声はミュートされる。BGMの再生においても同様の手段を用いることで可能とすることができる。
【００１５】
BGMは、自動音声と異なり操作者の気分や流行、患者への影響などを考慮し自由に音楽を選択できるようにすることが望ましく、音楽の記憶媒体から読取ができるように記憶媒体読取装置29とMRI制御部26によりBGMメモリ27に書き込む。BGMメモリ27からMRI制御部26によりランダムまたは順番に読出し、BGM再生部28により音声合成され、音声制御部13と音声電気信号を増幅する増幅器22とシールドルーム1の中と外とを仲介するラインフィルター9と、音声電気信号を音声変換するガントリースピーカー14により患者8に伝達され、BGMによってリラックスすることができる。BGMは、送話スイッチ信号37がオン、もしくは自動音声再生信号30がオンにより音声制御部13は、BGMをミュートする。
【００１６】
ここで本発明の一実施例であるBGMのフェードインについて、図3を用い説明する。
送話スイッチ信号37がオン、もしくは自動音声再生信号30がオンにより、BGM切換信号33がオフとなり音声切換器36は、送話／自動音声再生に切換る。BGM切換信号33がオフになるとBGMのゲインを決めるカウンタ34はリセットされカウンタ出力35は、0(零)となり、BGMゲイン32を下げBGMはミュートする。
【００１７】
送話スイッチ信号37がオン、もしくは自動音声再生信号30がオンにより、ミュートされたBGMは、送話スイッチ信号37がオフ、かつ、自動音声再生信号30がオフならば、BGM切換信号33がオンで音声切換器36がBGMを有効にする。カウンタ34が開始しカウンタ出力35が上がるとBGMゲイン制御32により音は次第に大きくなりBGMはフェードインする。BGMの再生機能は、MRI信号処理系10に記憶媒体読取装置とBGMメモリ27とBGM再生部28を設け、MRI制御部26により制御し、インターホン機能と組合せることでMRI装置の外部に音響再生装置を設置せずにBGMを再生することが可能になる。また、BGMゲイン制御32、BGM切換信号33、カウンタ34、音声切換器36を設けるだけで、BGMのフェードインが可能となる。
【００１８】
上記本発明によれば、ミュートからBGMを再開するとき、音を次第に大きくすること(以下、「フェードイン」という)も可能となり、患者に対しも気遣いの出来るBGM再生を提供することが出来るようになる。また、図1に示した従来技術の例と異なり、音響再生装置18及びBGMスピーカー19が、信号処理系10及びガントリースピーカー14の中にとり込まれたので、余分なスペースを省くことができMRI装置がコンパクトとなる。
【図面の簡単な説明】
【００１９】
【図１】MRI装置の構成例を示す図
【図２】本発明の一実施例を示すブロック図
【図３】本発明の一実施例を示すブロック図
【符号の説明】
【００２０】
1  シールドルーム、2  磁石、3  傾斜磁場コイル、4  照射コイル、5  受信コイル、6  ガントリーカバー、7  患者テーブル、8  患者、9  ラインフィルター、10  MRI信号処理系、11  送話スイッチ、12  オペレーターマイク、13  音声信号制御部、14  ガントリースピーカー、15  自動音声再生部、16  ガントリーマイク、17  オペレータースピーカー、18  音響再生装置、19  BGMスピーカー、20  BGMミュート信号、21〜24  増幅器、
25  自動音声メモリ、26  MRI制御部、27  BGMメモリ、28  BGM再生部、29  記憶媒体読取装置、30  自動音声再生信号、31  音声切換器、32  BGMゲイン制御、33  BGM切換信号、34  カウンタ、35  カウンタ出力、36  音声切換器、37  送話スイッチ信号  
【図１】
2010125094.tif 000003
【図２】
2010125094.tif 000004
【図３】
2010125094.tif 000005